(57)【要約】【課題】便器本体のボウル部の開口上縁に沿って均一な押圧力で安定的に摺動され、汚れを簡単且つ確実に拭き取ることができる便器清掃具を提供する。【解決手段】便器本体１のボウル部２の開口上縁部分に中空リム３が一体に形成され、この中空リム３は上壁部３１と内壁部３２とを備えて中空形状となっており、同中空リム３の上壁部３１に沿った横片部４１と内壁部３２に沿った縦片部４２とで略Ｌ字型の清掃具本体４を形成し、この清掃具本体４の横片部４１及び縦片部４２の内側面に中空リム３の上壁部３１及び内壁部３２の表面に摺接される汚れ拭き取り層５を設け、同清掃具本体４の外側面に把手部６を突設してなる便器清掃具。【選択図】図１
2008023079.tif 000002
【特許請求の範囲】
【請求項１】
便器本体のボウル部の開口上縁部分に中空リムが一体に形成され、この中空リムは上壁部と内壁部とを備えて中空形状となっており、同中空リムの上壁部に沿った横片部と内壁部に沿った縦片部とで略Ｌ字型の清掃具本体を形成し、この清掃具本体の横片部及び縦片部の内側面に中空リムの上壁部及び内壁部の表面に摺接される汚れ拭き取り層を設け、同清掃具本体の外側面に把手部を突設してなる便器清掃具。
【請求項２】
把手部を清掃具本体の横片部上面に突設し、同把手部を便器本体の外周面に沿う位置にまで外下方へと延設してガイド部を形成し、このガイド部と縦片部とでボウル部の開口上縁部分が挟持された状態で、清掃具本体の同開口上縁部分に沿った周方向の清掃動作がガイドされるようになしたことを特徴とする請求項１記載の便器清掃具。
【請求項３】
便器本体の外周面にはボウル部の開口上縁部分に沿った周方向のガイド溝が形成されており、ガイド部の下端に同ガイド溝とスライド自在に係合されるガイド片を形成したことを特徴とする請求項２記載の便器清掃具。
【発明の詳細な説明】
【技術分野】
【０００１】
本願発明は、便器本体のボウル部の開口上縁部分に沿って摺動されて、この部分に付着した汚れを拭き取る便器清掃具に関するものである。
【背景技術】
【０００２】
従来、便器を清掃する場合、一般に、便器本体のボウル部内を清掃するには柄付きブラシが使用され、同ボウル部の開口上縁部分を清掃するには布切れやペーパー等が使用される。柄付きブラシの一例として、特開平８−２３９８８６号公報には、柄の部分を折り曲げて便器本体のボウル部の開口上縁部分に掛け止め、ブラシ部分を同ボウル部内に納めることができる便器清掃用ブラシが示されている。この便器清掃用ブラシで便器本体のボウル部内を清掃するのは容易であるが、同ボウル部の開口上縁部分を清掃するのは極めて困難で不適である。
【０００３】
便器本体のボウル部の開口上縁部分を清掃するには、一般に前記のように、布切れやペーパー等が使用される。この場合、便器本体のボウル部の開口上縁部分に沿って布切れやペーパー等を摺動させて、この部分に付着した汚れを拭き取るものである。その際、布切れやペーパー等を安定した軌道で摺動させるのが困難で、汚れを拭き取り難いものであった。また、布切れやペーパー等を便器本体のボウル部の開口上縁部分に沿わせるための押圧力も一定とならず、汚れを確実に拭き取ることが困難なものであった。
【特許文献１】特開平８−２３９８８６号公報
【発明の開示】
【発明が解決しようとする課題】
【０００４】
本願発明は、上記背景技術に鑑みてなされたものであり、その課題は、便器本体のボウル部の開口上縁部分に沿って均一な押圧力で安定的に摺動されて、この部分に付着した汚れを簡単且つ確実に拭き取ることができる便器清掃具を提供することである。
【課題を解決するための手段】
【０００５】
上記課題を解決するために、本願請求項１記載の発明は、便器本体のボウル部の開口上縁部分に中空リムが一体に形成され、この中空リムは上壁部と内壁部とを備えて中空形状となっており、同中空リムの上壁部に沿った横片部と内壁部に沿った縦片部とで略Ｌ字型の清掃具本体を形成し、この清掃具本体の横片部及び縦片部の内側面に中空リムの上壁部及び内壁部の表面に摺接される汚れ拭き取り層を設け、同清掃具本体の外側面に把手部を突設してなる便器清掃具である。
【０００６】
また、本願請求項２記載の発明は、請求項１記載の便器清掃具において、把手部を清掃具本体の横片部上面に突設し、同把手部を便器本体の外周面に沿う位置にまで外下方へと延設してガイド部を形成し、このガイド部と縦片部とでボウル部の開口上縁部分が挟持された状態で、清掃具本体の同開口上縁部分に沿った周方向の清掃動作がガイドされるようになしたことを特徴としている。
【０００７】
また、本願請求項３記載の発明は、請求項２記載の便器清掃具において、便器本体の外周面にはボウル部の開口上縁部分に沿った周方向のガイド溝が形成されており、ガイド部の下端に同ガイド溝とスライド自在に係合されるガイド片を形成したことを特徴としている。
【発明の効果】
【０００８】
本願請求項１記載の発明である便器清掃具においては、便器本体のボウル部の開口上縁部分に中空リムが一体に形成され、この中空リムは上壁部と内壁部とを備えて中空形状となっており、同上壁部の上面及び内壁部の内側面が汚れ易くて洗い難いものである。この場合に、略Ｌ字型の清掃具本体の横片部及び縦片部の内側面に中空リムの上壁部及び内壁部の表面に摺接される汚れ拭き取り層が設けられているので、この汚れ拭き取り層は同上壁部及び内壁部の表面に対応し安定して摺接され、しかも、清掃具本体の外側面には把手部が突設されているので、この把手部を持って同清掃具本体を便器本体のボウル部の開口上縁部分に沿って摺動させると、汚れ拭き取り層は同上壁部及び内壁部の表面に対し均一な力で押圧されて、この部分に付着した汚れを簡単且つ確実に拭き取ることができる。
【０００９】
また、本願請求項２記載の発明である便器清掃具においては、特に、把手部から延設されたガイド部と清掃具本体の縦片部とでボウル部の開口上縁部分が挟持された状態となって、清掃具本体の同開口上縁部分に沿った周方向の清掃動作はガイドされ、汚れを拭き取る清掃作業をよりスムーズに行うことができる。
【００１０】
また、本願請求項３記載の発明である便器清掃具においては、特に、便器本体の外周面にボウル部の開口上縁部分に沿った周方向のガイド溝が形成されており、このガイド溝に前記ガイド部の下端に形成したガイド片をスライド自在に係合させているので、前記清掃動作はより確実且つスムーズにガイドされる。
【発明を実施するための最良の形態】
【００１１】
図１、２は、本願請求項１〜３の全てに対応した一実施形態を示している。この実施形態の便器清掃具は、便器本体１のボウル部２の開口上縁部分に中空リム３が一体に形成され、この中空リム３は上壁部３１と内壁部３２とを備えて中空形状となっており、このような洋式便器において用いられる。そして、この便器清掃具は、便器本体１の中空リム３の上壁部３１に沿った横片部４１と内壁部３２に沿った縦片部４２とで略Ｌ字型の清掃具本体４を形成し、この清掃具本体４の横片部４１及び縦片部４２の内側面に中空リム３の上壁部３１及び内壁部３２の表面に摺接される汚れ拭き取り層５を設け、同清掃具本体４の外側面に把手部６を突設してなる。
【００１２】
また、この実施形態の便器清掃具では、把手部６を清掃具本体４の横片部４１上面に突設し、同把手部６を便器本体１の外周面に沿う位置にまで外下方へと延設してガイド部７を形成し、このガイド部７と縦片部４２とでボウル部２の開口上縁部分が挟持された状態で、清掃具本体４の同開口上縁部分に沿った周方向の清掃動作がガイドされるようになしている。この場合、便器本体１の外周面にはボウル部２の開口上縁部分に沿った周方向のガイド溝８が形成されており、ガイド部７の下端に同ガイド溝８とスライド自在に係合されるガイド片９を形成してもいる。
【００１３】
以下、この実施形態の便器清掃具をより具体的詳細に説明する。まず、この実施形態の便器清掃具が用いられる便器は、図２に示すように、着座式の洋式便器である。便器本体１は合成樹脂製或いは陶器製であり、その内部に上方へ周縁略円弧形状に開口したボウル部２が一体に形成されている。ボウル部２の底部分には汚物排出用の水が溜め置かれ、その後部分に設けられる排出部（図示せず）から同汚物排出用水及び洗浄水と共に汚物は排出除去される。また、便器本体１の後部分には、便座及び便蓋（図示せず）が回動自在に付設される。
【００１４】
そして、図１に示すように、便器本体１の開口上縁部分には、内方へ略水平に突出する上壁部３１とこの上壁部３１の内側端縁から垂下する内壁部３２とで覆われた中空リム３が一体に形成されており、便器本体１のボウル部２の上面開口は同中空リム３で囲まれることになる。中空リム３には汚物洗い流し用の洗浄水が周方向に旋回され、この洗浄水は渦巻き状になって便器本体１のボウル部２の内面を伝い流される。これにより、ボウル部２の内面が汚物洗い流し用の洗浄水で洗浄されながら、汚物は同洗浄水と共に前記排出部から排出除去される。なお、便器清掃時には、便座を介し便蓋でボウル部２の上方開口が閉じられた状態で、このボウル部２内に洗浄水が噴出されることにより、同ボウル部２の内面だけでなく便座や便蓋等をも含めた全体が清掃されるようにしてもよい。
【００１５】
前記中空リム３の内壁部３２は下方内側へと若干傾斜して垂下され、同中空リム３の下側に内側へ突出した凸段部３３が形成されており、この中空リム３内を旋回される洗浄水は同内壁部３２の下端縁と凸段部３３との間隙から順次適量が便器本体１のボウル部２の内面へと流下される。便器本体１の前記凸段部３３より下側はボウル部２とで二重構造になっており、この凸段部３３の下側に沿って同便器本体１の外周面に周方向の前記ガイド溝８が形成されている。
【００１６】
次に、この実施形態の便器清掃具は、略Ｌ字型の清掃具本体４を備え、この清掃具本体４は合成樹脂或いは金属でなり、前記便器本体１の中空リム３の上壁部３１に沿った横片部４１と内壁部３２に沿った縦片部４２とを有している。そして、清掃具本体４の横片部４１及び縦片部４２の内側面には、前記中空リム３の上壁部３１及び内壁部３２の表面に摺接される汚れ拭き取り層５が設けられている。この汚れ拭き取り層５は、主体シート５１とその表面に一体化されるブラシ状或いは布状の摺接拭き取り部５２とで形成されており、同主体シート５１が略Ｌ字型の清掃具本体４の内側面に貼着されている。なお、この場合、汚れ拭き取り層５が清掃具本体４に対して剥離可能に貼着されていると、汚れた汚れ拭き取り層５を取り替えることができる。
【００１７】
前記清掃具本体４の外側面である横片部４１上面には把手部６が突設されており、この把手部６が便器本体１の外周面に沿う位置にまで外下方へと延設されてガイド部７は略Ｌ字状に形成されている。そして、ガイド部７の下端には前記ガイド溝８とスライド自在に係合されるガイド片９が一体に折曲形成されており、このガイド片９の上下には同ガイド溝８の溝内壁との接触抵抗を少なくするための摺接凸起９１が突設されている。なお、把手部６、ガイド部７、ガイド片９は全体が一連の折曲棒状に形成されており、把手部６或いはガイド部７の部分を手で持つことができる。
【００１８】
また、ガイド部７と縦片部４２とでボウル部２の開口上縁部分が挟持された状態で、清掃具本体４の同開口上縁部分に沿った周方向の清掃動作がガイドされるようになる。この場合、清掃具本体４と把手部６とガイド部７とガイド片９とは全体が弾性に富んだ材質で形成されていることが好ましく、そうすることで、ボウル部２の開口上縁部分を弾性的に挟持する状態となって、清掃動作がよりスムーズにガイドされるようになり、便器清掃具を容易に取り外すことができるようにもなる。
【００１９】
したがって、この実施形態の便器においては、便器本体１のボウル部２の開口上縁部分に中空リム３が一体に形成され、この中空リム３は上壁部３１と内壁部３２とを備えて中空形状となっており、同上壁部３１の上面及び内壁部３２の内側面が汚れ易くて洗い難いものである。
【００２０】
しかしながら、この実施形態の便器清掃具においては、略Ｌ字型の清掃具本体４の横片部４１及び縦片部４２の内側面に中空リム３の上壁部３１及び内壁部３２の表面に摺接される汚れ拭き取り層５が設けられているので、この汚れ拭き取り層５は同上壁部３１及び内壁部３２の表面に沿って対応し安定して摺接され、しかも、清掃具本体４の外側面には把手部６が突設されているので、この把手部６を持って同清掃具本体４を便器本体１のボウル部２の開口上縁部分に沿って周方向に摺動させることにより、汚れ拭き取り層５は同上壁部３１及び内壁部３２の表面に対し均一な力で押圧されて、この部分に付着した汚れを簡単且つ確実に拭き取ることができる。
【００２１】
また、この実施形態の便器清掃具においては、把手部６から延設されたガイド部７と清掃具本体４の縦片部４２とでボウル部２の開口上縁部分が挟持された状態となって、清掃具本体４の同開口上縁部分に沿った周方向の清掃動作はガイドされ、汚れを拭き取る清掃作業をよりスムーズに行うことができ、この場合、ガイド部７を持って清掃具本体４を摺動させることもできる。しかも、便器本体１の外周面にボウル部２の開口上縁部分に沿った周方向のガイド溝８が形成されており、このガイド溝８に前記ガイド部７の下端に形成したガイド片９をスライド自在に係合させているので、前記清掃動作はより確実且つスムーズにガイドされる。
【図面の簡単な説明】
【００２２】
【図１】本願発明の一実施形態である便器清掃具の使用状態を示す要部断面図。
【図２】同便器清掃具の使用状態を示す全体斜視図。
【符号の説明】
【００２３】
１  便器本体
２  ボウル部
３  中空リム
３１  上壁部
３２  内壁部
４  清掃具本体
４１  横片部
４２  縦片部
５  汚れ拭き取り層
６  把手部
７  ガイド部
８  ガイド溝
９  ガイド片
【図１】
2008023079.tif 000003
【図２】
2008023079.tif 000004